(57)【要約】【課題】ソレノイドの端子の防水処理を行い、ロック穴から水が浸入した場合、充電部が水に濡れて漏電や錆発生による接触不良が発生するのを防止すること。【解決手段】リード線２１８ｃの被覆部と円筒形状にモールドした部分２４３を覆うように設けた接着剤付熱収縮チューブ２４４にて熱溶着した状態を示す。接着剤付熱収縮チューブ２４４は熱を加えると収縮し、チューブの内側に塗布された接着剤が溶解してリード線２１８ｃの被覆と接着剤付熱収縮チューブ２４４を接着するとともに、円筒形状にモールドした部分２４３と接着剤付熱収縮チューブ２４４を接着する。これによりこれらの間にあり、充電部である端子片２２７の防水処理を行うことができる。【選択図】図６
2011056043.tif 000002
【特許請求の範囲】
【請求項１】
洗濯機に設けられたラッチを有する洗濯槽扉を閉じたときに前記ラッチが入り込むラッチ受けを有する洗濯槽扉係止装置の箱体と、ソレノイドアクチュエータと、前記ソレノイドアクチュエータで駆動される操作板と、前記操作板に連動するリンクと、前記リンクでロック又はアンロックされ前記ラッチ受に入り込んだ前記ラッチを係止する係止板と、前記係止板が前記ラッチを係止する方向に常時付勢するように設けられたスプリングＡと、洗濯機に設けられた洗濯槽扉を開くための扉開ボタンを操作することにより前記係止板が前記ラッチから離脱する方向に移動するように設けられた操作軸と、前記係止板と前記ラッチが入り込むラッチ受けを有する箱体からなりハートカム溝と係止ピンとの係合及び離脱によりロック及びアンロックの操作を交互に行える機構を搭載した洗濯機用洗濯槽扉係止装置であって、前記洗濯槽扉の開閉状態を検出する蓋開検知スィッチとロック又はアンロック状態を検出するロック検知スィッチとを備え、前記蓋開検知スィッチと前記ロック検知スィッチはそれぞれリード線と接続され、それぞれの接続部は防水処理が施されるとともに、各々のスィッチ自体もシール構造が施され防水構造とした洗濯槽扉係止装置を搭載した洗濯機。
【請求項２】
ソレノイドアクチュエータのソレノイドは樹脂でモールドされるとともに、前記ソレノイドの端子周囲は円筒形状のモールドを施し、前記端子はリード線と接続され、前記リード線と前記端子との接続部は前記円筒形状のモールドと前記リード線の被覆部の端部を覆うように接着剤付熱収縮チューブにて熱収縮することにより防水処理が施されている洗濯槽扉係止装置を搭載した洗濯機。
【請求項３】
円筒形状のモールドの外周部に全周突部を設けた請求項２記載の洗濯槽扉係止装置を搭載した洗濯機。
【請求項４】
ラッチ受けと反対側の側面部の上下方向の中央付近にリード線の保持部を設け、蓋開検知スィッチとロック検知スィッチ、およびソレノイドアクチュエータのソレノイドの各々のリード線を該保持部に保持するようにした請求項１〜３のいずれか１項に記載の洗濯槽扉係止装置を搭載した洗濯機。
【発明の詳細な説明】
【技術分野】
【０００１】
本発明は衣類を洗う特に叩き洗いが出来るドラム式構造の洗濯槽を有する洗濯機の洗濯槽扉を電磁係止する電磁式セルフロック機構（ロック及びアンロックの操作を交互に行えるもの）を有する洗濯機用洗濯槽扉係止装置（電磁式ドアロック装置）に関するものである。
【背景技術】
【０００２】
従来、ドラム式洗濯機の洗濯槽に対して洗濯物を出し入れするための開口部を開閉自在に覆いラッチ（扉をいつも開かない状態にする掛け金具）が内側に突設された洗濯槽扉と、該洗濯機筐体の正面側に設けられ該洗濯槽扉を開くための扉開ボタンと、該洗濯槽扉を閉じたときに該ラッチが入り込むラッチ受を有する開閉ロック部とを備え、該開閉ロック部は、該洗濯槽扉を閉じたときに該ラッチ受に入り込んだ該ラッチに係止することで該洗濯槽蓋を閉じた状態に係止する係止部材と、該係止部材を該ラッチに係止する方向に付勢する第１付勢手段と、該第１付勢手段の付勢に抗して進出移動することで該係止部材を該ラッチに係止した状態から外れた状態に移動させる引張りピンと、該係止部材を該ラッチに係止した状態にロックするロック手段とにより構成され、該扉開ボタンと該開閉ロック部との間には、回動軸を有し該扉開ボタンの押圧操作により該回動軸を回動支点として回動する開閉操作部材と、一端が該開閉操作部材に係合し他端が該引張りピンに連結された第２付勢手段と、該扉開ボタンと該開閉操作部材の間に取付けられ該扉開ボタンを押上げ方向に付勢する第３付勢手段とが設けられ、該ロック手段が該係止部材をロックしていない状態においては、該扉開ボタンの押圧操作がなされると、該第３付勢手段の付勢に抗して該扉開ボタンが該開閉操作部材を押すことで該開閉操作部材が回動し、該開閉操作部材の回動に伴い該第２付勢手段は変形することなく該第１付勢手段の付勢に抗して引張りピンが進出移動することで該係止部材が該ラッチに係止した状態から外れた状態に移動し、該ロック手段が該係止部材をロックしている状態においては、該扉開ボタンの押圧操作がなされると、該第３付勢手段の付勢に抗して該扉開ボタンが該開閉操作部材を押すことで該開閉操作部材が回動し、該開閉操作部材の回動に伴い該第２付勢手段が変形するようにしたことを特徴とする洗濯機が知られている（例えば、特許文献１参照）。
【０００３】
特許文献１に示される従来技術の係止部材の具体構造及び作用については、特許文献１の図４ないし図８を参照して詳しく説明されている。
【０００４】
また、特許文献１の明細書の段落番号００１６ないし段落番号００１７には、「図６に示すように、開閉操作部材９３の回動により係合スプリング６９が引かれると、係合スプリング６９の他端が係合する引張りピン１１１が係止バネ１１２の付勢に抗して進出移動し、係止板（係止部材）１１３を支軸１１４を回動支点として回動させるので、図８に示すように、ラッチ受９１に嵌り込んでいたラッチ９０のロック穴９０ａに嵌入している係止板１１３の突起部１１３ａが引き戻されてロック穴９０ａから外れるので、扉体８は図示しないバネ付勢により開かれる。扉開ボタン５６の押圧を解除すると、係止板１１３は係止バネ１１２の付勢により回動して、その突起部１１３ａをラッチ受９１内に進出させた位置に戻り、引張りピン１１１は後退移動するので、係合スプリング６９に引かれる開閉操作部材９３は回動し、押圧突起９４は扉開ボタン５６を押し上げ、押上バネ９２の付勢が働いて扉開ボタン５６は元の位置に復帰する。
【０００５】
扉体８を閉じる操作が行われると、ラッチ受９１に嵌まり込むラッチ９０の先端により突起部１１３ａはその先端の傾斜面が押圧される結果、係止板１１３を係止バネ１１２の付勢に抗して回動させ、ラッチ９０がラッチ受９１内に完全に入り込むと、突起部１１３ａがロック穴９０ａに入り込める状態になるので、係止バネ１１２の付勢を受ける係止板１１３が回動して、その突起部１１３ａをラッチ９０のロック穴９０ａに嵌入させるため、閉じられた扉体８は閉じた状態に係止される。」と記載されている。
【先行技術文献】
【特許文献】
【０００６】
【特許文献１】特開２００５−１３７５０８号公報
【発明の概要】
【発明が解決しようとする課題】
【０００７】
しかしながら、従来技術の係止部材の構造では、支軸１１４を回動支点として係止板１１３を回動させているので、突起部１１３ａがロック穴９０ａから回動により斜めに外れる時には、ラッチ９０により突起部１１３ａの一部の角部に応力が掛かりすぎて破損のおそれがあるという課題が残されている。（なおここまでの符号は特許文献１に示されているものであり、本発明の明細書とは異なるものである）。
【０００８】
また、ソレノイドの端子やスィッチの端子は防水処理が施されておらず、ロック穴から水が浸入した場合、充電部が水に濡れて漏電や錆発生による接触不良が発生する可能性がある。
【０００９】
本発明は、従来の技術の有するこのような問題点を鑑みてなされたものであり、その目的とするところは、ロック穴から水が浸入した場合、ソレノイド端子やスィッチの端子等の充電部が水に濡れるのを防止するようにしたものである。
【課題を解決するための手段】
【００１０】
上記目的を達成するために、洗濯機に設けられたラッチを有する洗濯槽扉を閉じたときに前記ラッチが入り込むラッチ受けを有する洗濯槽扉係止装置の箱体と、ソレノイドアクチュエータと、前記ソレノイドアクチュエータで駆動される操作板と、前記操作板に連動するリンクと、前記リンクでロック又はアンロックされ前記ラッチ受に入り込んだ前記ラッチを係止する係止板と、前記係止板が前記ラッチを係止する方向に常時付勢するように設けられたスプリングＡと、洗濯機に設けられた洗濯槽扉を開くための扉開ボタンを操作することにより前記係止板が前記ラッチから離脱する方向に移動するように設けられた操作軸と、前記係止板と前記ラッチが入り込むラッチ受けを有する箱体からなりハートカム溝と係止ピンとの係合及び離脱によりロック及びアンロックの操作を交互に行える機構を搭載した洗濯機用洗濯槽扉係止装置であって、前記洗濯槽扉の開閉状態を検出する蓋開検知スィッチとロック又はアンロック状態を検出するロック検知スィッチとを備え、前記蓋開検知スィッチと前記ロック検知スィッチはそれぞれリード線と接続され、それぞれの接続部は防水処理が施されるとともに、各々のスィッチ自体もシール構造が施され防水構造とした洗濯槽扉係止装置を搭載した洗濯機としたものである。
【００１１】
これによって洗濯機用洗濯槽扉係止装置内のスィッチの充電部は防水修理が行われるので、洗濯機用洗濯槽扉係止装置内に水が浸入しても充電部に水が付着することはなく、漏電する危険性を低減できる。
【発明の効果】
【００１２】
本発明の洗濯機用洗濯槽扉係止装置は洗濯機用洗濯槽扉係止装置内のスィッチの充電部は防水修理が行われているので、洗濯機用洗濯槽扉係止装置内に水が浸入しても充電部に水が付着することはなく漏電する危険性を低減できる。
【図面の簡単な説明】
【００１３】
【図１】本発明の第１の実施の形態における洗濯機の斜視図
【図２】右開き洗濯機用洗濯槽扉係止装置の配置図
【図３】左開き洗濯槽用洗濯槽扉係止装置の配置図
【図４】洗濯機用洗濯槽扉係止装置の正面図
【図５】洗濯機用洗濯槽扉係止装置の側面図
【図６】洗濯機用洗濯槽扉係止装置の本体の内部構成図
【図７】洗濯機用洗濯槽扉係止装置の蓋裏面の内部構成図
【図８】ソレノイドアクチュエータの分解斜視図
【図９】（ａ）操作板の底面図（ｂ）操作板の分解斜視図
【図１０】ソレノイドアクチュエータの斜視図
【図１１】ソレノイドアクチュエータの他の斜視図
【図１２】本発明の第２の実施の形態におけるソレノイドアクチュエータの斜視図
【図１３】同ソレノイドアクチュエータの他の斜視図
【発明を実施するための形態】
【００１４】
第１の発明は、洗濯機に設けられたラッチを有する洗濯槽扉を閉じたときに前記ラッチが入り込むラッチ受けを有する洗濯槽扉係止装置の箱体と、ソレノイドアクチュエータと、前記ソレノイドアクチュエータで駆動される操作板と、前記操作板に連動するリンクと、前記リンクでロック又はアンロックされ前記ラッチ受に入り込んだ前記ラッチを係止する係止板と、前記係止板が前記ラッチを係止する方向に常時付勢するように設けられたスプリングＡと、洗濯機に設けられた洗濯槽扉を開くための扉開ボタンを操作することにより前記係止板が前記ラッチから離脱する方向に移動するように設けられた操作軸と、前記係止板と前記ラッチが入り込むラッチ受けを有する箱体からなりハートカム溝と係止ピンとの係合及び離脱によりロック及びアンロックの操作を交互に行える機構を搭載した洗濯機用洗濯槽扉係止装置であって、前記洗濯槽扉の開閉状態を検出する蓋開検知スィッチとロック又はアンロック状態を検出するロック検知スィッチとを備え、前記蓋開検知スィッチと前記ロック検知スィッチはそれぞれリード線と接続され、それぞれの接続部は防水処理が施されるとともに、各々のスィッチ自体もシール構造が施され防水構造とした洗濯機用洗濯槽扉係止装置することにより、洗濯機用洗濯槽扉係止装置内のスィッチの充電部は防水修理が行われるので、洗濯機用洗濯槽扉係止装置内に水が浸入しても充電部に水が付着することはなく漏電する危険性を低減できる。
【００１５】
第２の発明は、第１の発明において、ソレノイドアクチュエータのソレノイドは樹脂でモールドされるとともに、前記ソレノイドの端子周囲は円筒形状のモールドを施し、前記端子はリード線と接続され、前記リード線と前記端子との接続部は前記円筒形状のモールドと前記リード線の被覆部の端部を覆うように接着剤付熱収縮チューブにて熱収縮することにより防水処理が施されていることにより、ソレノイドアクチュエータのソレノイド（コイル部）は樹脂でモールドされ、コイル部の端子周囲は円筒形状のモールドを施し、該端子はリード線と接続され、接続部は該円筒形状のモールド部とリード線の被覆部の端部を覆うように接着剤付熱収縮チューブにて熱収縮し、防水処理が施されており、洗濯機用洗濯槽扉係止装置内に水が浸入しても充電部に水が付着することはなく漏電する危険性を低減できる。
【００１６】
第３の発明は、第２の発明において、円筒形状のモールドの外周部に全周突部を設けたことにより、接着剤付熱収縮チューブを確実に接着されることにより防水性能を向上させることができる。
【００１７】
第４の発明は、第１〜第３のいずれかの発明において、ラッチ受けと反対側の側面部の上下方向の中央付近にリード線の保持部を設け、蓋開検知スィッチとロック検知スィッチ、およびソレノイドアクチュエータのソレノイドの各々のリード線を該保持部に保持するようにしたことにより、左開き洗濯槽扉に取り付ける場合にも、右開き洗濯槽扉に取り付ける場合にも、洗濯機用洗濯槽扉係止装置の箱体からのリード線の長さを同一長さにすることができ、右開き洗濯槽扉用と左開き洗濯槽扉用のどちらにも共用化することができる。
【００１８】
以上、本発明の実施の形態について、図面を参照しながら説明する。なお、この実施の形態によって本発明が限定されるものではない。
【００１９】
（実施の形態１）
図１は本発明の第１の実施の形態における洗濯機の斜視図、図２は右開き洗濯機用洗濯槽扉係止装置の配置図、図３は左開き洗濯機用洗濯槽扉係止装置の配置図、図４は洗濯機用洗濯槽扉係止装置の正面図、図５は洗濯機用洗濯槽扉係止装置の側面図、図６は洗濯機用洗濯槽扉係止装置の本体の内部構成図、図７は洗濯機用洗濯槽扉係止装置の蓋裏面の内部構成図、図８はソレノイドアクチュエータの分解者斜視図、図９（ａ）は操作板の底面図、図９（ｂ）は操作板の分解斜視図、図１０ソレノイドアクチュエータの斜視図、図１１はソレノイドアクチュエータの他の斜視図である。
【００２０】
図１において、洗濯機箱体２にはラッチ受け９１が設けてあり、扉体８にはラッチ９０が設けてあり、扉体８を閉じるとラッチ９０はラッチ受け９１に挿入され、扉体８が保持される。扉体８を開くときは洗濯機箱体２に設けた扉開ボタン５６を押すと開く構造になっている。
【００２１】
図２は右開き洗濯機用洗濯槽扉係止装置の配置図であり、扉開ボタン５６を押すとワイヤー６９でつながれた洗濯機用洗濯槽扉係止装置２００の操作軸２０１が引張られ、ラッチ９０を保持していた係止板２０２が洗濯機用洗濯槽扉係止装置２００の内部で連動し、横に移動することによりラッチ９０が外れて、扉体８が開く。操作軸２０１は洗濯機用洗濯槽扉係止装置の箱体２０３を貫通しており反対側もワイヤーをつなげるような構造である。洗濯機用洗濯槽扉係止装置２００からは駆動用電源（図示せず）や扉体８の開閉状態を伝えるためのリード線２０４がでており、該リード線組立品２０４の先端には制御装置からでているリード線組立品２０５と接続する中継用コネクタ２０６が設けられている。また、中継用コネクタ２０６に水は浸入しないように防水袋２０７が取り付けられている。
【００２２】
図３は左開き洗濯槽扉用の洗濯機用洗濯槽扉係止装置の配置図であり、洗濯機用洗濯槽扉係止装置２００は図２の右開き洗濯機用洗濯槽扉係止装置２００を１８０°回転（左右反転）させて取り付けたものである。
【００２３】
図４、図５において洗濯機用洗濯槽扉係止装置の箱体２０３のラッチ受け９１の反対側側面の中央部に設けられたリード線保持部２０８がある。各々リード線２０４はリード線保持部２０８に挿入され、リード線２０４は洗濯機用洗濯槽扉係止装置の箱体２０３の高さ方向の中央付近から外にでるようになっている。
【００２４】
図６においてソレノイドアクチュエータ２０９に通電されると操作板２１０が図６において右方向に移動する。操作板２１０が右方向に移動するとリンク２１１は斜め４５°の溝に沿って縦方向に移動する。操作板２１０の上面に設けた突出部２１２も下方向に移動しロックをかける。
【００２５】
洗濯機用洗濯槽扉係止装置の箱体２０３のラッチ受け９１にはロック阻止ボタン２１３を設け、ラッチ９０がラッチ受け９１に挿入されていないとリンク２１１が下方向に移動できないようになっている。ロック阻止ボタン２１３はスプリングＡ２１４にてラッチ９０がラッチ受け９１から離脱した時、元の位置に戻りリンク２１１が下方向に移動できない。そのためロックがかからない。
【００２６】
また、ラッチ受け９１には扉開閉検知ボタン２１５があり、扉体８が閉まり、ラッチ９０が挿入すると扉開閉検知ボタン２１５を横方向に押し、スプリングＢ２１６を介して扉開閉検知スィッチ２１７を押す。扉開閉検知スィッチ２１７はリード線２１８ａと接続され、接続部は接着剤２１９ａにて防水処理が施されている。
【００２７】
操作板２１０がソレノイドアクチュエータ２０９に通電により右方向に移動するとスプリングＣ２２０を介してレバー２２１を回転させる。回転したレバー２２１によりロック検知スィッチ２２２を押す。ロック検知スィッチ２２２はリード線２１８ｂと接続され、接続部は接着剤２１９ｂにて防水処理が施されている。
【００２８】
扉開閉検知スィッチ２１７用リード線２１８ａとロック検知スィッチ２２２用リード線２１８ｂは洗濯機用洗濯槽扉係止装置の箱体２０３内に設けたリード線支持部２２３を通して、洗濯機用洗濯槽扉係止装置の箱体２０３にある穴部２２４を通して洗濯機用洗濯槽扉係止装置の箱体２０３から外にでている。
【００２９】
図７において、操作軸２０１に設けた略Ｖ字状の摺動板２５０により操作軸２０１を上方向に引張っても下方向に引張っても、係止板２０２は右方向に移動し、ラッチ９０を開放し、扉体８を開くことができる。操作軸２０１に加えられた引張力が開放された時、スプリングＤ２２５により係止板２０２は元の位置に復元する。係止板２０２には突部２２６を設け、ソレノイドアクチュエータ２０９に通電によりリンク２１１に設けた突出部２１２に当り、ロックすることができる。
【００３０】
図８に示すように、ソレノイドアクチュエータ２０９は、略角筒状のボビン２２８（例えば、ＰＡ樹脂の一体形成部材）に銅線（例えば、エナメル線等のマグネットワイヤ）を巻装し端子片２２７（例えば、銅板）に接続し、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止したソレノイド２２９と、ソレノイド２２９の外周部を例えば、コ字状に囲繞するヨーク２３０（例えば、ステンレススチール平板）と、ソレノイド２２９の内部から挿入されてヨーク２３０に固着される固定鉄心２３１（例えば、ステンレススチール平板）と、ソレノイド２２９に内設され係合孔２３３を有する可動鉄心２３２（例えば、ステンレススチール平板）とからなる。
【００３１】
可動鉄心２３２は、ハートカム方式のセルフロック機構のアンロック（係止解除）時から初めて実施されるソレノイド２２９の励磁（例えば、ソレノイド２２９の端子片２２７間に、交流１００Ｖを全波整流した電圧を印加。）では、吸引作動（同時にハートカム溝２３７と係止ピン２３８とが摺動をする。）をし、本発明における実施の形態においては所定の復帰位置から約７ｍｍ程度移動する。そして、次に実施されるソレノイド２２９の消磁では、復帰作動（同時にハートカム溝２３７と係止ピン２３８とが係合される。）をし、本発明における実施の形態においては約５ｍｍ程度復帰位置方向に移動して係止位置で停止し、ハートカム方式のセルフロック機構がロック（係止）される。
【００３２】
また、可動鉄心２３２は、ハートカム方式のセルフロック機構のロック（係止）時から初めて実施されるソレノイド２２９の励磁では吸引作動（同時にハートカム溝２３７と係止ピン２３８とが摺動をする。）をし、本発明における実施の形態においては係止位置から約５ｍｍ程度移動する。そして、次に実施されるソレノイド２２９の消磁では復帰作動（同時にハートカム溝２３７と係止ピン２３８とが離脱される。）をし、本発明における実施の形態においては約７ｍｍ程度移動して復帰位置に戻り、ハートカム方式のセルフロック機構がアンロック（係止解除）される。
【００３３】
可動鉄心２３２は、前記のようなソレノイド２２９の励磁（吸引作動）及び消磁（復帰作動）を繰り返すことにより、規定の往復動をする。
【００３４】
図９に示すように、可動可能な操作板２１０（例えば、ＰＯＭ樹脂の一体形成部材）は、可動鉄心２３２に連結して可動鉄心２３２の往復動の方向と同方向に往復動し、一端部にはリンク用突起２３４（リンク２１１と係合する）を設け、略中央部には可動鉄心２３２の係合孔２３３に係合する突起２３６とスプリングＥ２５１の一端受け２４０を設け、他端部にはハートカム溝２３７（略中央部にハート形突起を設け、該ハート形突起の周囲の数カ所に階段状段差等を設けた係止ピン誘導溝。）を設け、操作板２１０のスプリングＥの一端受け２４０に常時弾発付勢するようにスプリングＥ２５１（圧縮コイルスプリング、巻線バネ。例えば、ステンレススチール線）を装着してソレノイド２２９の消磁時の可動鉄心２３２の復帰作動を容易にしたものである。
【００３５】
図１０はソレノイド２２９をモールドしているソレノイドモールド２４２の端子片２２７を円筒形状にモールドした部分２４３を設けた例である。ソレノイド２２９用リード線２１８ｃの芯線と端子片２２７はスポット溶接されている。
【００３６】
図１１はリード線２１８ｃの被覆部と円筒形状にモールドした部分２４３を覆うように設けた接着剤付熱収縮チューブ２４４にて熱溶着した状態を示す。接着剤付熱収縮チューブ２４４は熱を加えると収縮し、チューブの内側に塗布された接着剤が溶解してリード線２１８ｃの被覆と接着剤付熱収縮チューブ２４４を接着するとともに、円筒形状にモールドした部分２４３と接着剤付熱収縮チューブ２４４を接着する。これによりこれらの間にあり、充電部である端子片２２７の防水処理がなされている。
【００３７】
以上のように本実施の形態においては、洗濯機に設けられたラッチを有する洗濯槽扉を閉じたときに該ラッチが入り込むラッチ受けを有する箱体本体と、ソレノイドアクチュエータと、該ソレノイドアクチュエータで駆動される操作板と、該操作板に連動するリンクと、該リンクでロック又はアンロックされ該ラッチ受けに入り込んだ該ラッチを係止する係止板と、該係止板が該ラッチを係止する方向に常時付勢するように設けられた圧縮コイルスプリングＡと、洗濯機に設けられた洗濯槽扉を開くための扉開ボタンを操作することにより該係止板がラッチから離脱する方向に移動するように設けられた操作軸と、該操作軸の扉開ボタンと連動する引掛け部は箱体の上下に突出させて設けてあり、係止板と該ラッチが入り込むラッチ受けを有する箱体からなりハートカム溝と係止ピンとの係合及び離脱によりロック及びアンロックの操作を交互に行えるセルフロック機構を搭載し、左開き洗濯槽扉にも、右開き洗濯槽扉にも対応した洗濯機用洗濯槽扉係止装置であって、洗濯槽扉の開閉状態を検出する蓋開検知スィッチとロック又はアンロック状態を検出するロック検知スィッチを備え、該蓋開検知スィッチと該ロック検知スィッチはそれぞれリード線と接続され、接続部は接着剤等により防水処理が施されている。
【００３８】
また、各々スィッチ自体もシール構造が施され防水構造となっており、リード線の他端部はコネクタが接続されており、該ソレノイドアクチュエータのソレノイド（コイル部）は樹脂でモールドされ、該ソレノイドの端子周囲は円筒形状のモールドを施し、該端子はリード線と接続され、接続部は該円筒形状のモールド部とリード線の被覆部の端部を覆うように接着剤付熱収縮チューブにて熱収縮することにより防水処理が施されており、リード線の他端部はコネクタが接続された洗濯機用洗濯槽扉係止装置することにより、洗濯機用洗濯槽扉係止装置内のスィッチの充電部は防水修理が行われており、洗濯機用洗濯槽扉係止装置内に水が浸入しても充電部に水が付着することはなく漏電する危険性を低減できる。
【００３９】
また、該箱体のラッチと反対側の側面部の上下方向の中央付近にリード線の保持部を設け、該蓋開検知スィッチと該ロック検知スィッチ及び、該ソレノイドアクチュエータのコイルの各々リード線を該保持部に保持させた洗濯機用洗濯槽扉係止装置とすることにより、該箱体のラッチ受けと反対側の側面部の上下方向の中央付近にリード線の保持部を設け、該蓋開検知スィッチと該ロック検知スィッチ及び、該ソレノイドアクチュエータのコイルの各々リード線を該保持部に保持さることにより、左開き洗濯槽扉に取り付ける場合にも、右開き洗濯槽扉に取り付ける場合にも、洗濯機用洗濯槽扉係止装置の箱体からのリード線の長さを同一長さにすることができ、右開き洗濯槽扉用と左開き洗濯槽扉用とは共用化できる。
【００４０】
（実施の形態２）
図１２、図１３は本発明の第２の実施の形態のソレノイドアクチュエータの斜視図である。
【００４１】
図１２はソレノイドモールド２４２の端子片２２７を円筒形状にモールドした部分２４３を設けたものである。モールドした部分２４３の外周部に１箇所または、複数箇所全周突部２４５を設けている。ソレノイド２２９用リード線２１８ｃの芯線と端子片２２７はスポット溶接されている。
【００４２】
図１３はリード線２１８ｃの被覆部と円筒形状にモールドした部分２４３を覆うように設けた接着剤付熱収縮チューブ２４４にて熱溶着した状態を示す。接着剤付熱収縮チューブ２４４は熱を加えると収縮し、チューブの内側に塗布された接着剤が溶解してリード線２１８ｃの被覆と接着剤付熱収縮チューブ２４４を接着するとともに、円筒形状にモールドした部分２４３と接着剤付熱収縮チューブ２４４を接着する。これによりこれらの間にあり、充電部である端子片２２７の防水処理がなされている。ソレノイドモールド２４２の端子片２２７を円筒形状にモールドした部分２４３を設けたうえに、その外周部に１箇所または、複数箇所全周突部２４５を設けているため、接着剤付熱収縮チューブ２４４の接着性を向上することができる。
【００４３】
以上のように本実施の形態においては該ソレノイドアクチュエータの円筒形状のモールドの円周部に全周突部を設け、該端子はリード線と接続され、接続部は該円筒形状のモールド部とリード線の被覆部の端部を覆うように接着剤付熱収縮チューブにて熱収縮し、防水処理が施された洗濯機用洗濯槽扉係止装置とすることにより、洗濯機用洗濯槽扉係止装置内のソレノイドアクチュエータの端子部は円筒形状のモールドの円周部に全周突部により、接着剤付熱収縮チューブを確実に接着されることにより防水性能を向上させることができる。
【産業上の利用可能性】
【００４４】
以上のように、本発明にかかる洗濯機は該ソレノイドアクチュエータの円筒形状のモールドの円周部に全周突部を設け、該端子はリード線と接続され、接続部は該円筒形状のモールド部とリード線の被覆部の端部を覆うように接着剤付熱収縮チューブにて熱収縮し、防水処理が施された洗濯機用洗濯槽扉係止装置とすることにより、洗濯機用洗濯槽扉係止装置内のソレノイドアクチュエータの端子部は円筒形状のモールドの円周部に全周突部により、接着剤付熱収縮チューブを確実に接着されることにより防水性能を向上させることができるもので、防水性が必要となる電装部品にも広く適用できるものである。
【符号の説明】
【００４５】
１      ドラム式洗濯機
２      洗濯機箱体
８      扉体
５６    扉開ボタン
９０    ラッチ
９１    ラッチ受け
２００  洗濯機用洗濯槽扉係止装置
２０１  操作軸
２０２  係止板
２０３  洗濯機用洗濯槽扉係止装置の箱体
２０６  中継用コネクタ
２０８  リード線保持部
２０９  ソレノイドアクチュエータ
２１０  操作板
２１７  扉開閉検知スィッチ
２１８  リード線
２２２  ロック検知スィッチ
２４３  円筒形状にモールドした部分
２４４  接着剤付熱収縮チューブ
【図１】
2011056043.tif 000003
【図２】
2011056043.tif 000004
【図３】
2011056043.tif 000005
【図４】
2011056043.tif 000006
【図５】
2011056043.tif 000007
【図６】
2011056043.tif 000008
【図７】
2011056043.tif 000009
【図８】
2011056043.tif 000010
【図９】
2011056043.tif 000011
【図１０】
2011056043.tif 000012
【図１１】
2011056043.tif 000013
【図１２】
2011056043.tif 000014
【図１３】
2011056043.tif 000015